(57)【要約】【課題】食用油火災が発生した際に、直接鍋等の調理器具に投入して消火することのできる消火用具を提供する。【解決手段】本発明の消火用具は、消火薬剤が封入される単層の熱溶融性樹脂フィルムと、少なくとも１つの浮きと、前記単層の熱溶融性樹脂フィルムと前記少なくとも１つの浮きが封入される四角柱状の箱と、からなることを特徴とする。【選択図】図１
2014008389.tif 000002
【特許請求の範囲】
【請求項１】
初期の食用油火災に対応する消火用具であって、消火薬剤が封入された単層の熱溶融性樹脂フィルムと、少なくとも１つの浮きと、前記単層の熱溶融性樹脂フィルムと前記少なくとも１つの浮きが封入される四角柱状の箱と、からなることを特徴とする消火用具。
【請求項２】
前記四角柱状の箱が、面と面が垂直に交わる個所に、少なくとも一つの漏出孔を備えることを特徴とする請求項１記載の消火用具。
【請求項３】
前記四角柱状の箱と、前記浮きとの体積比が、概ね６：１であることを特徴とする請求項１又は２記載の消火用具。
【請求項４】
前記四角柱状の箱の面に、絵が施されていることを特徴とする請求項１又は２記載の消火用具。
【発明の詳細な説明】
【技術分野】
【０００１】
本発明は、火災に対応する消火用具に関する。より詳細には、食用油火災が発生した際に、直接鍋等の調理器具に投入して消火することのできる消火用具に関する。
【背景技術】
【０００２】
従来より、家庭や飲食店での食用油火災に対応する消火方法として、消火薬剤である炭酸カリウム水溶液が装填された熱溶融性または熱破損性の樹脂容器を鍋に直接投入して鎮火させる方法が存在していた。
【０００３】
これは、消火薬剤と食用油が反応（鹸化）し、高温の油を瞬時に不燃化するため消火を促すものであるが、比重の重い消火薬剤は容器ごと油に投入されると、反応することなく下部に流れ落ち、その場所で熱せられると、消火薬剤の水分が膨張して水蒸気爆発を起こす危険性があった。
【０００４】
この問題を解決するため、特許文献１では界面活性剤および炭酸カリウムなどを含むケン化剤に、多糖ガムなどの増粘剤を添加することにより、水蒸気爆発を起こす可能性を低減している。
【０００５】
また、一般に、消火の原理は、炎の熱に化学反応を起こさせ、具体的には、炭酸ガスやアンモニアガスを発生させて、酸素を遮断することで、炎を鎮火させる。この場合、容器が油の下に、そのまま落ちた場合は、消火が困難となる。
【０００６】
そのため、できる限り容器は軽いものが良いので、アルミ製の軽量の薄膜に薬剤を充填したものがある。ただし、この場合でも、薄膜が縮むようにして亀裂ができず、そのまま油の底にすべりおちる可能性もある。
【０００７】
そのため、消火剤が入った容器に、人間が持つための取手棒を付けた考案があるが、これは、炎を怖がるのが人間の習性なので、いざ、火災時に冷静に取手棒を持っていることは難しい。
【０００８】
更に、従来の消火用具は、全く、装飾性に乏しく、家庭内で、隅の方に置かれやすく、他のキッチン用具とハーモナイズが取れていない。購買意欲を喚起する必要があるので、装飾性に富む工夫も必要である。
【先行技術文献】
【特許文献】
【０００９】
【特許文献１】特開２００８−１１９３０３
【特許文献２】実開平４−６７４６３
【発明の概要】
【発明が解決しようとする課題】
【００１０】
本発明の目的は、従来の消火薬剤の成分に変更を加えることなく、消火薬剤を装填する容器に変更を加えることにより、安価かつ安全な消火用具を提供することである。
【課題を解決するための手段】
【００１１】
前記課題を解決するために創案された請求項１の発明は、消火薬剤が封入された単層の熱溶融性樹脂フィルムと、少なくとも１つの浮きと、該単層の熱溶融性樹脂フィルムと該少なくとも１つの浮きが封入される四角柱状の箱と、からなる消火用具に関する。
【００１２】
前記課題を解決するために創案された請求項２の発明は、四角柱状の箱の、面と面が垂直に交わる個所に、少なくとも一つの漏出孔を備えることを特徴とする消火用具に関する。
【００１３】
前記課題を解決するために創案された請求項３の発明は、四角柱状の箱と、浮きとの体積比が、概ね６：１であることを特徴とする消火用具に関する。
【００１４】
前記課題を解決するために創案された請求項４の発明は、請求項１又は２記載の四角柱状の箱の面に、絵が施されていることを特徴とする消火用具に関する。
【００１５】
請求項１の発明によって、箱の中の浮きが、消火用具が鍋の下部へ沈殿するのを遅らせる役割を果たす。従来品は沈めるものであったが、より浮かせて使用することにより、反応した泡が油面の表面を素早く覆うため、従来使用時より消火用具1個の消火可能油量が１．５倍〜２倍になる。
【００１６】
請求項２の発明は、四角柱の面と面が垂直に交わる個所に、漏出孔を設けることである。これにより、消火用具が油の表面に浮いた状態で、薬剤が均等に漏れ出すことになる。
【００１７】
また、請求項３の発明は、四角柱状の箱と浮きの体積の比を、概ね６：１とすることで、効果的な実験結果を得た。
【００１８】
請求項４の発明は、四角柱状の箱に装飾性を加味した発明であり、家庭の台所にハーモナイズするようにしたものである。
【発明の効果】
【００１９】
本発明によって、従来の消火薬剤の成分に変更を加えることなく、消火薬剤の水分が膨張して水蒸気爆発する危険性を解消し、安価かつ安全な消火用具を提供することが可能となった。
【図面の簡単な説明】
【００２０】
【図１】本発明の一実施形態に係る紙製の立方体の箱を示す斜視図である。
【図２】本発明の一実施形態に係る紙製の立方体の箱の展開図を示す平面図である。
【図３】本発明の一実施形態に係る紙製の立方体の箱に装填された状態の浮きおよび消火薬剤を示す斜視図である。
【図４】本発明の一実施形態に係る紙製の立方体の箱に絵が施された例を示す図である。
【発明を実施するための形態】
【００２１】
本発明の一実施形態に係る消火用具の構成や機能について添付図面を参照して以下に詳細に説明する。
図１は、本発明の一実施形態に係る紙製箱４００の斜視図であり、図２は、本発明の一実施形態に係る紙製箱４００の展開図を示している。ここで、紙製箱４００は、浮き５００が設置される部分と開口部分を除く、面と面が垂直に交わる個所に、それぞれ漏出孔４１０を備え、内部には、浮き５００と、熱溶融性樹脂フィルムに封入された消火薬剤６００が装填される。
【００２２】
本実施形態において、紙製箱４００は、一辺の長さがそれぞれ５．４ｃｍであり、開口部分と、浮きが設置される部分の２辺を除く、面と面が垂直に交わる個所の中心部に、それぞれ漏出孔４１０を備える。本実施形態におけるそれぞれの漏出孔４１０の長さは、辺に沿って１．６ｃｍである。
【００２３】
図３は、本発明の一実施形態に係る紙製箱４００に装填された状態の浮き５００および消火薬剤６００を示している。また、本実施形態において、浮き５００は、高さ４．６ｃｍ、幅２．４ｃｍ、奥行き２．４ｃｍの中空状の紙製の箱であり、紙製箱４００の、漏出孔４１０を有しない辺に沿って装填される。さらに、熱溶融性樹脂フィルムに封入された消火薬剤６００は、炭酸カリウムを主成分とし、浮き５００を囲むように紙製箱４００に装填される。この際、紙製箱４００と浮き５００の体積比は概ね６：１となり、消火能力の最も効果的な実験結果を得た。
【００２４】
本実施形態において使用される単層の熱溶融性樹脂フィルムは、厚手のＰＥＴ（ポリエチレンテレフタレート）である。ＰＥＴは、酸成分をテレフタル酸とし、グリコール成分をエチレングリコールとした飽和の熱可塑性ポリエステルである。ＰＥＴは、融点約２６０℃、強度、耐熱性などに優れた結晶性高分子である。
【００２５】
この熱溶融性樹脂フィルムは、四角形状の単層のＰＥＴフィルムを半分に折り返して袋状に形成し、消火薬剤を封入した後、端部周辺を熱圧着する構成である。この際、折り返し部分の辺は熱圧着させなくてもよいが、全ての端部周辺、すなわち四辺を熱圧着する構成としてもよい。
【００２６】
以上の構成とすることで、浮き５００の効果により、紙製箱４００が油の表面に浮いている時間を延ばすことができ、樹脂フィルムの内部に封入された消火薬剤６００は、紙製箱４００の複数の漏出孔４１０から徐々に広がり出ることになるため、消火薬剤６００が反応することなく鍋底に落ちて水蒸気爆発を起こす心配がなく、安全に消火を促すことができる。また、この紙製箱４００を用いると、箱が固く、持つ時に安定するので、樹脂フィルムのみで構成された消火用具に比べて、ユーザが消火用具を鍋に投入しやすくなり、消火活動をさらに安全に行うことが可能となる。
【００２７】
図４は、本発明の一実施形態に係る紙製箱４００に絵が施された図である。従来の家庭用消火用具は、デザイン性に乏しく、常時キッチンの目の届く場所に設置しておくのは敬遠される傾向があった。本発明の消火用具によると、形状、サイズ、デザインとも、常にキッチンの目立つ場所に置いておいても違和感がなく、非常時に手に取りやすい。
【００２８】
以上、本発明を図面に示した実施形態を用いて説明したが、これらは例示的なものに過ぎず、本技術分野の当業者ならば、本発明の範囲および趣旨から逸脱しない範囲で多様な変更および変形が可能なことは理解できるであろう。したがって、本発明の範囲は、説明された実施形態によって定められず、特許請求の範囲に記載された技術的趣旨により定められねばならない。
【符号の説明】
【００２９】
４００             紙製箱
４１０             漏出孔
５００             浮き
６００             消火薬剤
【図１】
2014008389.tif 000003
【図２】
2014008389.tif 000004
【図３】
2014008389.tif 000005
【図４】
2014008389.tif 000006